(57)【要約】【課題】貯留槽への折り立て作業が簡単であるとともに、完全に展開することができ、使用後の排水、洗浄及び乾燥並びに折り畳んでの保管が容易で、しかも折り目からの破断の虞のない液体貯留槽用シート及びそのシートを用いた液体貯溜槽並びに簡易浴槽を提供する。【解決手段】剛性を有する枠体２の内面形状に沿う立体形状に折り立てられるとともに枠体によって周囲から保持され、上面開口部より液体を受容して該液体の貯溜状態を維持する液体貯留槽用シート１であって、折り立てに際し折り曲げられる箇所に、折り目３１〜３７が、該箇所をその全長に亘って摘むとともに該摘んだ部分の全域を固着することにより形成された液体貯溜槽用シート１。【選択図】  図１
2007269341.tif 000002
【特許請求の範囲】
【請求項１】
剛性を有する枠体の内面形状に沿う立体形状に折り立てられるとともに該枠体によって周囲から保持され、上面開口部より液体を受容して該液体の貯溜状態を維持する液体貯留槽用シートであって、
前記折り立てに際し折り曲げられる箇所に、折り目が、該箇所をその全長に亘って摘むとともに該摘んだ部分の全域を固着することにより形成されたことを特徴とする液体貯溜槽用シート。
【請求項２】
前記シートは熱融着可能な合成樹脂製シートであって、前記摘んだ部分の固着は熱融着によりなされたものである請求項１に記載の液体貯溜槽用シート。
【請求項３】
前記シートは少なくとも貯留層内側となる面に熱融着可能で且つ非通水性を呈する合成樹脂層を形成してなる布製シートであって、前記摘んだ部分の固着は熱融着によりなされたものである請求項１に記載の液体貯溜槽用シート。
【請求項４】
前記シートは少なくとも一面に形成された合成樹脂層により非通水性が付与された布製シートであって、前記摘んだ部分の固着は縫着によりなされたものである請求項１に記載の液体貯溜槽用シート。
【請求項５】
前記シートにおいて槽の底に対応する領域の任意の箇所に排水口が形成されるとともに、この排水口に、該シートと同材料からなり先端を貯溜面よりも高い位置まで掲げることが可能な長さを有する排水用ホースが接続された請求項１乃至４のいずれか一つに記載の液体貯留槽用シート。
【請求項６】
組立及び分解が可能な剛性を有する枠体と、請求項１乃至５のいずれか一つに記載の液体貯溜槽用シートとからなる液体貯留槽。
【請求項７】
組立及び分解が可能な剛性を有する枠体と、請求項１乃至５のいずれか一つに記載の液体貯溜槽用シートとからなる簡易浴槽。
【発明の詳細な説明】
【技術分野】
【０００１】
本発明は、例えば屋外において雨水や非常用飲料水を貯溜したり、また漁港や市場などで魚介類を生きたまま一時的に保管するべく海水や真水を貯溜したり、あるいは介護が必要な病人や老人の沐浴のために湯水を貯溜したりするのに好適な液体貯溜用シート及びそのシートを用いた液体貯溜槽並びに簡易浴槽に関する。
【背景技術】
【０００２】
従来、この種の液体貯溜槽としては、例えば特開平２−４５３４６号公報（特許文献１）に所載の無漏水の折り畳み箱や、特開２００４−１５００６９公報（特許文献２）に所載の組立式貯水タンクが知られている。
【０００３】
特許文献１に所載の箱は、折り目を設けた防水性を有するシートにて形成し、使用時にはシートを折って簡単迅速に箱形容器に形成して水を輸送することができ、保管時には中央の折り目より偏平状に折り畳んで積み重ねることができるものである。
【０００４】
一方、特許文献２に所載の貯水タンクは、組立ユニット材を用いて全体が所望形状の槽体を形成するとともにこの槽体内に複数個のフックを設け、このフックに袋状の防水シートの上縁部を掛止して槽体を液密構造にするとともに、組立ユニット材を共通化することにより槽体を一単位として所望個数の槽体を組み合わせることにより要求貯溜容量に応じた貯水タンクを構成することができるものである。
【０００５】
また、それとは別に、簡易浴槽としては、例えば特開２００１−２３１７０１号公報（特許文献３）に所載の沐浴湯水槽及びそれに用いる沐浴シートが知られている。この沐浴湯水槽は、洗面所などに設置されたシンクの凹部に沿うように折ることができる折れ線が設けられたシートからなり、乳児やペットをシンクに直接触れさせることなく沐浴させることができるようにして、シンクを使用の都度消毒する必要をなくしたものである。
【０００６】
さらに、介護な必要な老人或いは病人などを安全且つ簡単な方法で入浴させることができるようにした簡易浴槽としては、例えば特開平１０−２９５７７０号公報（特許文献４）に所載の簡易風呂や、特開２００５−２０５００３号公報（特許文献５）に所載の介護用浴槽、特開２００３−１９１７９号公報（特許文献６）に所載の車椅子用バスタブ、或いは特開平８−５２１９０号公報（特許文献７）に所載の組立式介助用浴槽などが知られている。
【０００７】
特許文献４に所載の簡易風呂は、内部に椅子を設置するとともに貯水を行い得るように上部を開放した耐水袋の外周にフレームを組み立て、フレームに耐水袋の上端外周を着脱自在に固定して耐水袋内への湯水の貯水状態を保持し得るようにしたものである。
【０００８】
特許文献５に所載の介護用浴槽は、車椅子を収容可能な上方開口型の浴槽ケースと、この浴槽ケースの周側板と略同形の周側部を有する有底且つ上方が開口したシート材からなる内袋とからなるものである。
【０００９】
特許文献６に所載の車椅子用バスタブは、折り畳み可能な浴槽フレームと、周囲に穴を設けてロープを通し、このロープを引き締めて絞ることにより四隅を内外の折り幅が異なるアコーデオン状にジグザグに折り曲げて浴槽フレーム内に浴槽として使用されるシートとからなるものである。
【００１０】
特許文献７に所載の組立式介助用浴槽は、浴槽フレームと折線が形成された柔軟なシート部材からなる槽を有し、折線に沿って折り立てた槽が浴槽フレームの上部矩形状フレームと下部矩形状フレームの間に組み込まれ、槽底部下方に空間が形成され、支持杆の下端に走行手段を設けてなるものである。
【特許文献１】特開平２−４５３４６号公報
【特許文献２】特開２００４−１５００６９公報
【特許文献３】特開２００１−２３１７０１号公報
【特許文献４】特開平１０−２９５７７０号公報
【特許文献５】特開２００５−２０５００３号公報
【特許文献６】特開２００３−１９１７９号公報
【特許文献７】特開平８−５２１９０号公報
【発明の開示】
【発明が解決しようとする課題】
【００１１】
しかしながら、上記したいずれの特許文献に所載の技術にあっても、特に大容量の貯水に供されるシートとしては満足のいくものではなかった。以下その点について詳述する。
【００１２】
特許文献１に所載の箱に用いられるシートや特許文献３に所載の沐浴シート、及び特許文献７に所載のシート部材は、所定の形状を構成するように折り曲げる箇所に折り目が形成されたものであるが、その折り目は単なる折り目、すなわち、合成樹脂製シートの折り目形成技術において従来周知の熱罫線或いは加熱加圧成形による溝で構成された折り目に過ぎなかった。このような従来の折り目を有するシートにあっては、人が持ち運べる程度の水量の貯溜しか想定していない特許文献１の箱や、せいぜい洗面所のシンクの貯水容量に相当する程度の水量しか想定していない特許文献３の沐浴シートでは特に問題は生じないが、特許文献２や特許文献４〜７に見られるような数百リットルもの多量の水を貯溜する場合には、貯溜の都度大きな水圧がシートに負荷としてかかることから、また上記周知の技術で形成される折り目はその部分で局部的に肉薄となり必然的に機械的強度が低下してしまっていることから、使用（貯溜）を重ねていくうちにシートが折り目から破断する虞が多分にあった。また、湯水など温度の高いものを貯溜対象とした場合、シートは、通常、合成樹脂製であることから、上記した大きな水圧に加えて湯水から受け取る熱によって容易に軟化し、このことが上記折り目における破断をより促進させることとなっていた。そしてこのようなシートの破断は、特許文献１や特許文献３に見られるような比較的小容量のものにおいて発生してもそれほど大事には至らないが、介護を要する老人や病人の入浴に使用されるシートにおいて発生した場合は、湯水の量が上記したように大量であることから、湯水がシート外へ恰も鉄砲水の如く勢いよく一挙に流出する可能性が極めて高く、そのような流出事故が入浴中に発生すると、老人や病人がその衝撃で転倒するなどして大怪我を負ってしまう危険性があった。また、介護を要する入浴は、浴室以外の部屋で行われることが多いため、そのような部屋で流出事故が発生すると、その後処理がたいへんであるといった問題もあった。
【００１３】
また、上記したような破断に至らずとも、特に大量の湯水の貯溜を繰り返し行っていくと、加温下で水圧が加えられることによってシートの折り目部分が徐々に伸ばされることとなり、これによって折り目が次第に薄れていき、やがてどの部分でシートを折ればよいか判りづらくなってうまく折ることができなくなってしまうといった問題もあった。
【００１４】
一方、特許文献２、４及び５に所載のシートにあっては、予め所定の形状にシートが形成されているものであるから、上記したような折り目に起因する問題点はない。しかしながら、袋状など所定の立体形状に成形されているものであるため、保管時に小さく折り畳むことが困難であり、それ相応の保管スペースを必要とするといった問題があった。また、平面状に展開することが全くできないため、使用後の洗浄作業が行い辛く、しかも洗浄作業後に乾かすため干そうとしても上手く干すことができず、乾ききるまでに時間がかかるといった問題もあった。
【００１５】
この点、特許文献６に所載のシートにあっては、完全に展開することができるため、そのような問題はないものの、四隅に内外の折り幅が異なるアコーデオン状部分を設けたものであるため、この部分の加工が実際には難しくコストも嵩むといった問題があった。しかも、アコーデオン状部分の溝内に湯垢が溜まり易いうえこの部分の洗浄が行い辛いため、衛生上好ましくないといった問題があった。
【００１６】
本発明は上記従来の問題点を解決すべく創案されたものであり、貯留槽への折り立て作業が簡単であるとともに、完全に展開することができ、使用後の排水、洗浄及び乾燥並びに折り畳んでの保管が容易で、しかも折り目からの破断の虞のない液体貯留槽用シート及びそのシートを用いた液体貯溜槽並びに簡易浴槽を提供することを目的としている。尚、以下の本発明の説明において、特に断らない限り、単にシートとする記載は液体貯留槽用シートと同義である。
【課題を解決するための手段】
【００１７】
上記課題を解決するため、本発明に係る液体貯留槽用シートは、剛性を有する枠体の内面形状に沿う立体形状に折り立てられるとともに該枠体によって周囲から保持され、上面開口部より液体を受容して該液体の貯溜状態を維持する液体貯留槽用シートであって、前記折り立てに際し折り曲げられる箇所に、折り目が、該箇所をその全長に亘って摘むとともに該摘んだ部分の全域を固着することにより形成されたことを特徴とするものである。
この特定事項により、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また摘んだ部分に隙間ができないため、この部分に水垢や湯垢などが溜まる虞もない。
【００１８】
上記シートは熱融着可能な合成樹脂製シートであってもよく、その場合は摘んだ部分の固着は熱融着によりなされたものとされる。
【００１９】
この特定事項により、摘んだ部分においてシート素材同士が融着して一体化されることとなり、熱を受けて伸び易い合成樹脂製シートであっても、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また摘んだ部分に隙間ができないため、この部分に水垢や湯垢などが溜まる虞もない。
【００２０】
また、上記シートは少なくとも貯留層内側となる面に熱融着可能で且つ非通水性を呈する合成樹脂層を形成してなる布製シートであってもよく、その場合は摘んだ部分の固着は熱融着によりなされたものとされる。
【００２１】
この特定事項により、摘んだ部分においてシート素材表面の合成樹脂層同士が融着して一体化されることとなり、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また摘んだ部分に隙間ができないため、この部分に水垢や湯垢などが溜まる虞もない。さらに、シート素材が布であるため、合成樹脂製シートの場合とは異なり、熱の影響を受けて伸縮するといったことがなく、耐久性に優れている。
【００２２】
また、上記シートは少なくとも一面に形成された合成樹脂層により非通水性が付与された布製シートであってもよく、その場合は摘んだ部分の固着は縫着によりなされたものとされる。
【００２３】
この特定事項により、摘んだ部分においてシート素材同士が縫着により一体化されることとなり、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また広く一般に行われている縫製作業により行えるため製作コストを削減することができる。さらに、シート素材が布であるため、合成樹脂製シートの場合とは異なり、熱の影響を受けて伸縮するといったことがなく、耐久性に優れている。
【００２４】
また、上記シートには、槽の底に対応する領域の任意の箇所に排水口が形成されるとともに、この排水口に、該シートと同材料からなり先端を貯溜面よりも高い位置まで掲げることが可能な長さを有する排水用ホースが接続されていてもよい。
【００２５】
この特定事項により、液体又は湯水を貯溜中、排水用ホースの先端を貯溜面（液面）よりも高い位置に掲げておくだけで、特に排水口に栓をしなくとも貯溜状態を維持することができる。そして、排水する場合は、単に排水用ホースを槽の底面よりも低い位置に下げるだけで槽内の液圧（水圧）により全量がスムースに排水される。
【００２６】
本発明に係る液体貯留槽は、組立及び分解が可能な剛性を有する枠体と、上記した液体貯溜槽用シートのいずれか一つとからなるものである。
【００２７】
また、本発明に係る簡易浴槽は、組立及び分解が可能な剛性を有する枠体と、上記した液体貯留槽用シートのいずれか一つとからなるものである。
【発明の効果】
【００２８】
本発明に係る貯留槽用シートは、折り目の部分の強度が、単に熱罫線や加熱加圧により折り目が形成された従来のシートに比べて、格段に高いものであるため、繰り返し使用しても折り目が消えることが一切ない。したがって、いつでも正しい位置でシートを折り立てることができる。
【００２９】
また、折り目の部分の強度が高いため、折り目から破断する虞がない。したがって、特に簡易浴槽の場合、入浴中に湯水が流出する虞がなく、安全性に優れている。
【００３０】
さらに、摘んだ部分に隙間ができないため、この部分に水垢や湯垢などが溜まる虞もない。したがって、使用後の洗浄が簡単であり衛生面でも優れている。
【００３１】
また、完全に展開することができるため、使用後簡単に干すことができるとともに、コンパクトに折り畳むことができ、保管スペースをとることがなく、取扱性にも優れている。
【発明を実施するための最良の形態】
【００３２】
以下、本発明の実施の形態について、図面を参照して説明する。
【００３３】
図１は本発明に係る液体貯留槽用シートを展開した状態を示す外面側（槽の外側となる面側）から見た斜視図、図２は図１に示すシートに排水用ホースを設けたものの図１相当図、図３は折り目を示し図１及び図２におけるIII−III線に沿う断面図、図４は排水ホースの接続部分を示し図２におけるIV−IV線に沿う断面図、図５乃至図７はシートの折り立て工程を示す斜視図、図８は簡易浴槽を示す分解斜視図、図９は貯溜状態にある簡易浴槽を示す斜視図、図１０は簡易浴槽の前面を開放した状態を示す斜視図である。
【００３４】
このシート１は、剛性を有する枠体２（図８乃至図１０参照）の内面形状に沿う立体形状、ここでは直方体形状に折り立てられる（図５乃至図８参照）とともに、枠体２によって周囲から保持され、上面開口部より液体を受容して液体の貯溜状態を維持するもの（図９参照）である。
【００３５】
前記折り立てに際し折り曲げられる箇所には折り目３１〜３７がそれぞれ設けられている。図１及び図２に示すシートでは、その中央部であって枠体２の底面の周辺のうち３辺に対応する部位に３本の折り目３１，３２，３３が、また枠体の底面の四隅に対応する位置とシートの四隅とを結ぶ線上に折り目３４，３５，３６，３７が設けられている。ここで、シート１の中央部において折り目が３本しか設けられていないのは、図１０に示すように、入浴者の出入りの便を考慮して前面を開放する場合に、シート１表面が極力平滑となるようにして入浴者がシート１に足を引っ掛けたりしないようにするためである。このような配慮が必要でなければ、この部分にも折り目を設けてもよいことは勿論である。
【００３６】
上記折り目３１〜３７は、図３に示すように、折り曲げられる箇所をその全長に亘って摘むとともに摘んだ部分の全域を固着することにより形成されている。折り目３１〜３７がこのように形成されたことにより、折り目３１〜３７の部分の強度が、単に熱罫線や加熱加圧により折り目が形成された従来のシートに比べて、格段に高いものとなるため、繰り返し使用しても折り目３１〜３７が消えることが一切なく、しかも折り目３１〜３７から破断する虞がない。また摘んだ部分に隙間ができないため、この部分に水垢や湯垢などが溜まる虞もない。
【００３７】
尚、折り目は、シート１の折る箇所すべてに設ける必要はなく、少なくとも折り立て作業時の目安となる箇所に設けられていればよい。
【００３８】
上記シートとしては熱融着可能な合成樹脂製シートが好適に用いられる。その場合、折り目３１〜３７を形成するのにあたって行われる上記摘んだ部分の固着は熱融着によりなされる。これによって、摘んだ部分においてシート素材同士が融着して一体化されることとなり、熱を受けて伸び易い合成樹脂製シートであっても、折り目３１〜３７の部分の強度が、単に熱罫線や加熱加圧により折り目が形成された従来のシートに比べて、格段に高いものとなるため、繰り返し使用しても折り目３１〜３７が消えることが一切なく、しかも折り目３１〜３７から破断する虞がない。また摘んだ部分に隙間ができないため、この部分に水垢や湯垢などが溜まる虞もない。
【００３９】
上記合成樹脂製シートとしては、例えばポリエチレン、ポリ塩化ビニル、ポリ塩化ビニリデン、ポリビニルアルコール、ポリプロピレン、ポリエステル、ポリカーボネート、ナイロン、ポリスチレン、エチレン酢酸ビニル共重合体、エチレン酢酸ビニルアルコール共重合体、アイオノマーなどをはじめ、上記熱融着が可能なものであれば任意である。
【００４０】
また、シート１は、上記したような合成樹脂製のもの以外に、少なくとも貯留層内側となる面に熱融着可能で且つ非通水性を呈する合成樹脂層を形成してなる布製シートであってもよい。その場合は摘んだ部分の固着は熱融着によりなされたものとされる。ここで形成される合成樹脂層の素材としては、上記列挙した各種合成樹脂が挙げられる。このような構成の液体貯留槽用シートにあっては、摘んだ部分においてシート素材表面の合成樹脂層同士が融着して一体化されることとなり、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また摘んだ部分に隙間ができないため、この部分に水垢や湯垢などが溜まる虞もない。さらに、シート素材が布であるため、合成樹脂製シートの場合とは異なり、熱の影響を受けて伸縮するといったことがなく、耐久性に優れている。
【００４１】
また、上記シートとしては、少なくとも一面に形成された合成樹脂層により非通水性が付与された布製シートであってもよい。その場合、摘んだ部分の固着は縫着によりなされたものとされる。これによって、摘んだ部分においてシート素材同士が縫着により一体化されることとなり、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また広く一般に行われている縫製作業により行えるため製作コストを削減することができる。さらに、シート素材が布であるため、合成樹脂製シートの場合とは異なり、熱の影響を受けて伸縮するといったことがなく、耐久性に優れている。
【００４２】
以上説明したシート１にあっては、図１及び図２に示すように、折り立てた際にシートの重合部分を相互に固定するための係止部材４がシート１の外面側の適所に複数設けられている。通常、これら係止部材４としては面ファスナーが好適に用いられるが、合成樹脂製又は金属製のホックでもよい。
【００４３】
また、シート１の外周縁には、それぞれ各縁の中央部において枠体掛止片５が突設されている。これら枠体掛止片５は、図８乃至図１０に示すように、枠体２の上縁に引っ掛けられるものである。
【００４４】
図２に示すシート１は、上記したシート１に排水用ホース６を設けたものである。この排水用ホース６は、シート１の中央に形成された排水口７（図４乃至図９参照）にその基端部が接続されており、その長さは、先端を貯溜面よりも高い位置まで掲げることが可能な長さとされたものである。また、この排水用ホース６は、シート１と同材料からなる。
【００４５】
シート１の排水口７への取付は、図４に示すように、排水用ホース６の基端部６１をシート１の内面側に挿入するとともに排水口７の周縁部に広げ、この広げられた基端部６１からシート１の内面にかけてシート１と同材料のリング状の固着シート９を重合したうえで、これら固着シート９、基端部６１及びシート１の三者を一体的に熱圧着することにより行われる。図４中、符号Ｖはこの熱圧着により生じた凹溝を示す。尚、排水口７の形成位置をシート１の中央としているのは、水の重みでシート１の中央が撓み、ここに水が集中することから、排水時にすべての水が排水口７に導かれ、シート１上に残ることがないからである。
【００４６】
次に、上記のシート１を用いた簡易浴槽について説明する。
【００４７】
この簡易浴槽は、図８乃至図１０に示すように、組立及び分解が可能な剛性を有する枠体２と、上記シート１とからなるものである。
【００４８】
枠体２は、本実施の形態にあっては、複数本のパイプを直方体状に組み立てるとともに、上面以外に補強シート１を設けたものである。尚、枠体２はこのような形態のものに限定されず、例えば前記特許文献２や特許文献５に見られるようなパネルを複数枚組み合わせてなるものであってもよい。また、形状は直方体形状である必要はなく、五角柱形状や六角柱形状などの多角柱形状であっても、あるいは円柱形状や楕円柱形状であってもよい。
【００４９】
シート１は、上記枠体２の内面形状に沿う立体形状に折り立てられるとともに枠体２によって周囲から保持される。以下、シート１を折り立てて槽を構成する手順について図５乃至図７を、また簡易浴槽を組み立てる手順について図８及び図９をそれぞれ参照して説明する。
【００５０】
まず、シート１の周縁部をシート中央部の周囲に配された折り目３１〜３３に沿って折り立てるとともに、四隅において重合し合う部分を、シート１の四隅から中央部に向かって延びる折り目３４〜３７に沿って折り重ねる（図５及び図６参照）。
【００５１】
次に、上記折り重ねた部分８を、折り立てられたシート１の外面に添わせるとともに、前記した係止部材（面ファスナー）４によりその外面に係止させ、さらにその上にもう一方の折り重ねた部分８を添わせて対応する係止部材４により係止させる。この作業を槽の前面側と後面側のそれぞれについて行う。これにより槽１０が折り上がる（図７参照）。
【００５２】
このようにしてできた槽１０を枠体２内に収納するとともに、排水用ホース６を枠体２の下側を潜らせて枠体２の外側に引き出し、次いでシート１の枠体掛止片５をそれぞれ枠体２の上縁に引っ掛け、これら引っ掛けた部分に上から固定クリップ１１を嵌着し、枠体掛止片５をそれぞれ枠体２の上縁に固定する。これで枠体２への槽１０の固定が完了し、簡易浴槽が完成する。完了したら、図９に示すように、排水用ホース６の先端を掲げて直近に位置する枠体２の上縁に引っ掛けるとともに上記固定クリップ１１を利用して固定する。この後、槽１０内に湯水を貯溜し、入浴に供する。
【００５３】
ここで、湯水Ｗを貯溜中、排水用ホース６は、図９に示すように、その先端６２が貯溜面（液面）よりも高い位置に掲げられているので、特に排水口７に栓をしなくとも貯溜状態を維持することができる。そして、排水する場合は、単に排水用ホース６を槽１０の底面よりも低い位置に下げるだけで槽１０内の水圧により全量がスムースに排水される。
【００５４】
尚、入浴者が槽１０内に跨いで入ることのできない者である場合は、枠体２の前面及び槽１０の前面を前方に開けば、ここから造作無く出入りすることができる。図８及び図９において、符号１２は枠体２の前面を係止するための掛け金を示す。
【００５５】
以上、簡易浴槽について説明したが、例えば雨水を一時的に貯溜するために使用される液体貯留槽についても上記簡易浴槽と同様である。また、槽１０は、排水用ホース６を持たない図１に示すようなシート１で構成されてもよい。
【図面の簡単な説明】
【００５６】
【図１】本発明に係る液体貯留槽用シートを展開した状態を示す外面側（槽の外側となる面側）から見た斜視図である。
【図２】図１に示すシートに排水用ホースを設けたものの図１相当図である。
【図３】シートに設けた折り目を示し図１及び図２におけるIII−III線に沿う断面図である。
【図４】排水ホースの接続部分を示し図２におけるIV−IV線に沿う断面図である。
【図５】シートの折り立て工程を示す斜視図である。
【図６】シートの折り立て工程を示す斜視図である。
【図７】シートの折り立て工程を示す斜視図である。
【図８】簡易浴槽を示す分解斜視図である。
【図９】貯溜状態にある簡易浴槽を示す斜視図である。
【図１０】簡易浴槽の前面を開放した状態を示す斜視図である。
【符号の説明】
【００５７】
１          液体貯留槽用シート
２          枠体
３１〜３７         折り目
【図１】
2007269341.tif 000003
【図２】
2007269341.tif 000004
【図３】
2007269341.tif 000005
【図４】
2007269341.tif 000006
【図５】
2007269341.tif 000007
【図６】
2007269341.tif 000008
【図７】
2007269341.tif 000009
【図８】
2007269341.tif 000010
【図９】
2007269341.tif 000011
【図１０】
2007269341.tif 000012
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
剛性を有する枠体の内面形状に沿う立体形状に折り立てられるとともに該枠体によって周囲から保持され、上面開口部より湯水を受容して該湯水の貯溜状態を維持する簡易浴槽用シートであって、
前記折り立てに際し折り曲げられる箇所であって、折り立て後に浴槽の底面となる中央部と入浴者の出入りの際に開放される前面となる部位との境界を除く箇所に、折り目が、該箇所をその全長に亘って摘むとともに該摘んだ部分の全域を固着することにより形成されたことを特徴とする簡易浴槽用シート。
【請求項２】
前記シートは熱融着可能な合成樹脂製シートであって、前記摘んだ部分の固着は熱融着によりなされたものである請求項１に記載の簡易浴槽用シート。
【請求項３】
前記シートは少なくとも浴槽内側となる面に熱融着可能で且つ非通水性を呈する合成樹脂層を形成してなる布製シートであって、前記摘んだ部分の固着は熱融着によりなされたものである請求項１に記載の簡易浴槽用シート。
【請求項４】
前記シートは少なくとも一面に形成された合成樹脂層により非通水性が付与された布製シートであって、前記摘んだ部分の固着は縫着によりなされたものである請求項１に記載の簡易浴槽用シート。
【請求項５】
前記シートにおいて槽の底に対応する領域の任意の箇所に排水口が形成されるとともに、この排水口に、該シートと同材料からなり先端を貯溜面よりも高い位置まで掲げることが可能な長さを有する排水用ホースが接続された請求項１乃至４のいずれか一つに記載の簡易浴槽用シート。
【請求項６】
組立及び分解が可能な剛性を有する枠体と、請求項１乃至５のいずれか一つに記載の簡易浴槽用シートとからなる簡易浴槽。
【手続補正３】
【補正対象書類名】明細書
【補正対象項目名】０００１
【補正方法】変更
【補正の内容】
【０００１】
本発明は、介護が必要な病人や老人の沐浴のために湯水を貯溜したりするのに好適な簡易浴槽用シート及びそのシートを用いた簡易浴槽に関する。
【手続補正４】
【補正対象書類名】明細書
【補正対象項目名】０００２
【補正方法】変更
【補正の内容】
【０００２】
従来、液体貯溜槽として、例えば特開平２−４５３４６号公報（特許文献１）に所載の無漏水の折り畳み箱や、特開２００４−１５００６９公報（特許文献２）に所載の組立式貯水タンクが知られている。
【手続補正５】
【補正対象書類名】明細書
【補正対象項目名】００１６
【補正方法】変更
【補正の内容】
【００１６】
本発明は上記従来の問題点を解決すべく創案されたものであり、浴槽への折り立て作業が簡単であるとともに、完全に展開することができ、使用後の排水、洗浄及び乾燥並びに折り畳んでの保管が容易で、しかも折り目からの破断の虞のない簡易浴槽用シート及びそのシートを用いた簡易浴槽を提供することを目的としている。尚、以下の本発明の説明において、特に断らない限り、単にシートとする記載は簡易浴槽用シートと同義である。
【手続補正６】
【補正対象書類名】明細書
【補正対象項目名】００１７
【補正方法】変更
【補正の内容】
【００１７】
上記課題を解決するため、本発明に係る簡易浴槽用シートは、剛性を有する枠体の内面形状に沿う立体形状に折り立てられるとともに該枠体によって周囲から保持され、上面開口部より湯水を受容して該湯水の貯溜状態を維持する簡易浴槽用シートであって、前記折り立てに際し折り曲げられる箇所であって、折り立て後に浴槽の底面となる中央部と入浴者の出入りの際に開放される前面となる部位との境界を除く箇所に、折り目が、該箇所をその全長に亘って摘むとともに該摘んだ部分の全域を固着することにより形成されたことを特徴とするものである。
この特定事項により、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また摘んだ部分に隙間ができないため、この部分に水垢や湯垢などが溜まる虞もない。
また、折り立て後に浴槽の底面となる中央部と入浴者の出入りの際に開放される前面となる部位との境界には折り目が形成されないことから、入浴者の出入りの際に前面を開放したとき、シート表面が極力平滑となるため、入浴者がシートに足を引っ掛けたりしない。
【手続補正７】
【補正対象書類名】明細書
【補正対象項目名】００２０
【補正方法】変更
【補正の内容】
【００２０】
また、上記シートは少なくとも浴槽内側となる面に熱融着可能で且つ非通水性を呈する合成樹脂層を形成してなる布製シートであってもよく、その場合は摘んだ部分の固着は熱融着によりなされたものとされる。
【手続補正８】
【補正対象書類名】明細書
【補正対象項目名】００２５
【補正方法】変更
【補正の内容】
【００２５】
この特定事項により、湯水を貯溜中、排水用ホースの先端を貯溜面（液面）よりも高い位置に掲げておくだけで、特に排水口に栓をしなくとも貯溜状態を維持することができる。そして、排水する場合は、単に排水用ホースを槽の底面よりも低い位置に下げるだけで槽内の液圧（水圧）により全量がスムースに排水される。
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】変更
【補正の内容】
【００２７】
本発明に係る簡易浴槽は、組立及び分解が可能な剛性を有する枠体と、上記した簡易浴槽用シートのいずれか一つとからなるものである。
【手続補正１１】
【補正対象書類名】明細書
【補正対象項目名】００２８
【補正方法】変更
【補正の内容】
【００２８】
本発明に係る簡易浴槽用シートは、折り目の部分の強度が、単に熱罫線や加熱加圧により折り目が形成された従来のシートに比べて、格段に高いものであるため、繰り返し使用しても折り目が消えることが一切ない。したがって、いつでも正しい位置でシートを折り立てることができる。
【手続補正１２】
【補正対象書類名】明細書
【補正対象項目名】００３３
【補正方法】変更
【補正の内容】
【００３３】
図１は本発明に係る簡易浴槽用シートを展開した状態を示す外面側（槽の外側となる面側）から見た斜視図、図２は図１に示すシートに排水用ホースを設けたものの図１相当図、図３は折り目を示し図１及び図２におけるIII−III線に沿う断面図、図４は排水ホースの接続部分を示し図２におけるIV−IV線に沿う断面図、図５乃至図７はシートの折り立て工程を示す斜視図、図８は簡易浴槽を示す分解斜視図、図９は貯溜状態にある簡易浴槽を示す斜視図、図１０は簡易浴槽の前面を開放した状態を示す斜視図である。
【手続補正１３】
【補正対象書類名】明細書
【補正対象項目名】００３４
【補正方法】変更
【補正の内容】
【００３４】
このシート１は、剛性を有する枠体２（図８乃至図１０参照）の内面形状に沿う立体形状、ここでは直方体形状に折り立てられる（図５乃至図８参照）とともに、枠体２によって周囲から保持され、上面開口部より湯水を受容して湯水の貯溜状態を維持するもの（図９参照）である。
【手続補正１４】
【補正対象書類名】明細書
【補正対象項目名】００３５
【補正方法】変更
【補正の内容】
【００３５】
前記折り立てに際し折り曲げられる箇所には折り目３１〜３７がそれぞれ設けられている。図１及び図２に示すシートでは、その中央部であって枠体２の底面の周辺のうち３辺に対応する部位に３本の折り目３１，３２，３３が、また枠体の底面の四隅に対応する位置とシートの四隅とを結ぶ線上に折り目３４，３５，３６，３７が設けられている。ここで、シート１の中央部において折り目が３本しか設けられていないのは、図１０に示すように、入浴者の出入りの便を考慮して前面を開放する場合に、シート１表面が極力平滑となるようにして入浴者がシート１に足を引っ掛けたりしないようにするためである。
【手続補正１５】
【補正対象書類名】明細書
【補正対象項目名】００５４
【補正方法】変更
【補正の内容】
【００５４】
尚、入浴者が槽１０内に跨いで入ることのできない者である場合は、枠体２の前面及び槽１０の前面を前方に開けば、ここから造作無く出入りすることができる。図８及び図９において、符号１２は枠体２の前面を係止するための掛け金を示す。また、槽１０は、排水用ホース６を持たない図１に示すようなシート１で構成されてもよい。
【手続補正１６】
【補正対象書類名】明細書
【補正対象項目名】００５５
【補正方法】削除
【補正の内容】
【手続補正１７】
【補正対象書類名】明細書
【補正対象項目名】００５６
【補正方法】変更
【補正の内容】
【００５６】
【図１】本発明に係る簡易浴槽用シートを展開した状態を示す外面側（槽の外側となる面側）から見た斜視図である。
【図２】図１に示すシートに排水用ホースを設けたものの図１相当図である。
【図３】シートに設けた折り目を示し図１及び図２におけるIII−III線に沿う断面図である。
【図４】排水ホースの接続部分を示し図２におけるIV−IV線に沿う断面図である。
【図５】シートの折り立て工程を示す斜視図である。
【図６】シートの折り立て工程を示す斜視図である。
【図７】シートの折り立て工程を示す斜視図である。
【図８】簡易浴槽を示す分解斜視図である。
【図９】貯溜状態にある簡易浴槽を示す斜視図である。
【図１０】簡易浴槽の前面を開放した状態を示す斜視図である。
【手続補正１８】
【補正対象書類名】明細書
【補正対象項目名】００５７
【補正方法】変更
【補正の内容】
【００５７】
１          簡易浴槽用シート
２          枠体
３１〜３７         折り目
【手続補正書】
【提出日】平成19年6月25日(2007.6.25)
【手続補正１】
【補正対象書類名】特許請求の範囲
【補正対象項目名】請求項１
【補正方法】変更
【補正の内容】
【請求項１】
直方体状であって前面が入浴者の出入りのため開閉可能とされた剛性を有する枠体の内面形状に沿う立体形状に折り立てられるとともに該枠体によって周囲から保持され、上面開口部より湯水を受容して該湯水の貯留状態を維持する、長方形状で且つ各縁の中央部に前記枠体の上縁に引っ掛けられる枠体掛止片が突設された簡易浴槽用シートであって、
前記折り立てに際し折り曲げられる箇所であって、折り立て後に浴槽の底面となる中央部には前記枠体の底面の周辺のうち前記前面に臨む１辺を除く３辺に対応する部位にそれぞれ折り目が設けられ、また枠体の底面の四隅に対応する位置とシートの四隅とを結ぶ線上にもそれぞれ折り目が設けられ、これら計７本の折り目は、該箇所をその全長に亘って摘むとともに該摘んだ部分の全域を固着することにより形成され、
前記折り立ては、シートの周縁部をシート中央部の周囲に配された３本の折り目及び前記前面に臨む１辺に沿って折り立てるとともに、四隅において重合し合う部分を、シートの四隅から中央部に向かって延びる前記折り目に沿って折り重ね、このようにしてそれぞれ折り重ねた部分を、前記枠体の前面側及び後面側において、折り立てられたシートの外面に添わせるとともにシートの外面に設けられた係止部材によりその外面に係止し、さらにその上にもう一方の折り重ねた部分を添わせて、シートの外面に設けられた係止部材により係止させることにより行われることを特徴とする簡易浴槽用シート。
【手続補正２】
【補正対象書類名】明細書
【補正対象項目名】００１７
【補正方法】変更
【補正の内容】
【００１７】
上記課題を解決するため、本発明に係る簡易浴槽用シートは、直方体状であって前面が入浴者の出入りのため開閉可能とされた剛性を有する枠体の内面形状に沿う立体形状に折り立てられるとともに該枠体によって周囲から保持され、上面開口部より湯水を受容して該湯水の貯留状態を維持する、長方形状で且つ各縁の中央部に前記枠体の上縁に引っ掛けられる枠体掛止片が突設された簡易浴槽用シートであって、前記折り立てに際し折り曲げられる箇所であって、折り立て後に浴槽の底面となる中央部には前記枠体の底面の周辺のうち前記前面に臨む１辺を除く３辺に対応する部位にそれぞれ折り目が設けられ、また枠体の底面の四隅に対応する位置とシートの四隅とを結ぶ線上にもそれぞれ折り目が設けられ、これら計７本の折り目は、該箇所をその全長に亘って摘むとともに該摘んだ部分の全域を固着することにより形成され、前記折り立ては、シートの周縁部をシート中央部の周囲に配された３本の折り目及び前記前面に臨む１辺に沿って折り立てるとともに、四隅において重合し合う部分を、シートの四隅から中央部に向かって延びる前記折り目に沿って折り重ね、このようにしてそれぞれ折り重ねた部分を、前記枠体の前面側及び後面側において、折り立てられたシートの外面に添わせるとともにシートの外面に設けられた係止部材によりその外面に係止し、さらにその上にもう一方の折り重ねた部分を添わせて、シートの外面に設けられた係止部材により係止させることにより行われることを特徴とするものである。
この特定事項により、折り目の部分の強度が、単に熱罫線や加熱加圧により折り目が形成された従来のシートに比べて、格段に高いものとなるため、繰り返し使用しても折り目が消えることが一切なく、しかも折り目から破断する虞がない。また摘んだ部分に隙間ができないため、この部分に水垢や湯垢などが溜まる虞もない。
また、折り立て後に浴槽の底面となる中央部と入浴者の出入りの際に開放される前面となる部位との境界には折り目が形成されないことから、入浴者の出入りの際に前面を開放したとき、シート表面が極力平滑となるため、入浴者がシートに足を引っ掛けたりしない。
【手続補正３】
【補正対象書類名】明細書
【補正対象項目名】００４８
【補正方法】変更
【補正の内容】
【００４８】
枠体２は、本実施の形態にあっては、複数本のパイプを直方体状に組み立てるとともに、上面以外に補強シート１を設けたものである。尚、枠体２はこのような形態のものに限定されず、例えば前記特許文献２や特許文献５に見られるようなパネルを複数枚組み合わせてなるものであってもよい。
【手続補正４】
【補正対象書類名】明細書
【補正対象項目名】００５７
【補正方法】変更
【補正の内容】
【００５７】
１              簡易浴槽用シート
２              枠体
４ 係止部材
５ 枠体掛止片
８ 折り重ねた部分
３１〜３７      折り目